(57)【特許請求の範囲】
【請求項１】
配膳車本体内の冷蔵室と温蔵室との仕切壁を構成する各仕切壁部材間に形成されたトレイ通路を封止するトレイ通路封止部材であって、仕切壁部材の全長に対応する長さを有し、全体が伸縮自在なシリコンゴムで構成され、幅中央部にトレイの上面または下面と当接する凸状の主体部が形成され、主体部の両側縁には仕切壁部材の上縁または下縁と嵌め合わされる嵌合鍔部が形成されており、少なくとも主体部の表面にすべり加工が施されている、トレイ通路封止部材。
【請求項２】
全体形状が横断面略凹形である、請求項１記載のトレイ通路封止部材。
【請求項３】
主体部の幅中央部分に全長にわたって突条が形成されている、請求項１または請求項２記載のトレイ通路封止部材。
【請求項４】
滑り加工がフッ素樹脂コーティングである、請求項１〜請求項３のうちのいずれか一項記載のトレイ通路封止部材。
【請求項５】
配膳車本体内の冷蔵室と温蔵室との仕切壁を構成する複数の仕切壁部材の上縁および下縁に請求項１〜請求項４のうちのいずれか一項記載のトレイ通路封止部材が取り付けられ、上下に隣り合う仕切壁部材間のトレイ通路にトレイを差し込むことで、その上下のトレイ通路封止部材間にトレイがすべり込むと共に、該トレイの上下両面にトレイ通路封止部材が当接することにより該トレイ通路封止部材が圧縮されて、トレイの上下両面に該トレイ通路封止部材が密着するようになされている、配膳車におけるトレイ通路封止構造。
【発明の詳細な説明】
【技術分野】
【０００１】
本発明は、病院や老人ホーム等で食事を配膳する際に使用される配膳車内の冷蔵室と温蔵室との仕切り壁封止用部材およびこれを用いた仕切り壁封止構造に関する。
【背景技術】
【０００２】
病院や老人ホーム等で食事を配膳する際に使用される配膳車は、前後方向に伸びる複数の仕切壁部材が上下方向に一列に配設され、これにより構成された仕切壁の一側が冷蔵室、他側が温蔵室とされ、上下に隣り合う仕切壁部材間にはトレイが差し込まれるトレイ通路が形成されており、該通路にトレイを差し込むことでトレイが配膳車本体内に多段に収容されるようになされている。
【０００３】
そして、この場合、上下に隣り合う仕切壁部材間において、冷蔵室と温蔵室との互いの冷気と熱気とがそれぞれ反対側へ流出しないように、一般にトレイ通路に弾性パッキンや弾性発泡体、或いは封止用合成樹脂部材等が介在されている。
【０００４】
また、例えば最下位の仕切壁部材を除く他の仕切壁部材の下縁に、トレイ通路を塞ぐ多孔質の弾性材料製トレイ通路封止部材が取り付けられ、上面全面が平面状のトレイをトレイ通路内へ差し込むことで前記トレイ通路封止部材がトレイの深さ全長にわたり、上方へ伸縮して前記トレイの平面状上面に圧接することにより、該上面の上方空間を封止するようにした配膳車も知られている。
【先行技術文献】
【特許文献】
【０００５】
【特許文献１】特許第４８５４０６７号公報
【特許文献２】実開昭６１−１４９０８４号公報
【発明の概要】
【発明が解決しようとする課題】
【０００６】
前述した通り、配膳車は、複数の仕切壁部材が上下方向に積み重ねられて構成された仕切壁の一側が冷蔵室、同他側が温蔵室となされているが、従来、温蔵室には単に温風が循環されており、そのため温蔵室内は加温状態となるだけであったが、近年、温風ではなく過熱蒸気を循環する場合があり、この場合には温風に比べて温蔵室内の温度がかなり高温となることから、従来のような弾性パッキンや封止用合成樹脂部材等では熱変性や熱変形等が生じて十分な封止機能が確保されないおそれがあり、そのため封止機能を更に高める必要があった。またその一方、トレイ通路にはトレイが差し込まれることから、トレイの差し込み易さを確保する必要もあった。
【０００７】
本発明の目的は、温蔵室が過熱蒸気によって高温になっても十分な封止機能が確保され、しかもトレイの差し込みがスムースに行える仕切壁封止用部材およびこれを用いた仕切壁封止構造を提供することにある。
【課題を解決するための手段】
【０００８】
請求項１記載の本発明は、配膳車本体内の冷蔵室と温蔵室との仕切壁を構成する各仕切壁部材間に形成されたトレイ通路を封止するトレイ通路封止部材であって、仕切壁部材の全長に対応する長さを有し、全体が伸縮自在なシリコンゴムで構成され、幅中央部にトレイの上面または下面と当接する凸状の主体部が形成され、主体部の両側縁には仕切壁部材の上縁または下縁と嵌め合わされる嵌合鍔部が形成されており、少なくとも主体部の表面にすべり加工が施されているトレイ通路封止部材である。
【０００９】
請求項２記載の本発明は、前記請求項１記載のトレイ通路封止部材について、横断面略凹形であることを特徴とするものである。
【００１０】
請求項３記載の本発明は、前記請求項２記載のトレイ通路封止部材について、主体部の幅中央部分に全長にわたって突条が形成されているものである。
【００１１】
請求項４記載の本発明は、請求項１〜請求項３のうちのいずれか一項記載のトレイ通路封止部材について、滑り加工がフッ素樹脂コーティングであることを特徴とするものである。
【００１２】
本発明において、フッ素樹脂コーティングの方法は、特に限定されず、裏面に接着剤が塗布されたフッ素樹脂シートを展着したり、フッ素樹脂を直接的に塗布したり、含浸させたり、また蒸着や圧着等、種々の手段が講じられる。
【００１３】
請求項５記載の本発明は、配膳車本体内の冷蔵室と温蔵室との仕切壁を構成する複数の仕切壁部材の上縁および下縁に請求項１〜請求項４のうちのいずれか一項記載のトレイ通路封止部材が取り付けられ、上下に隣り合う仕切壁部材間のトレイ通路にトレイを差し込むことで、その上下のトレイ通路封止部材間にトレイがすべり込むと共に、該トレイの上下両面にトレイ通路封止部材が当接することにより該トレイ通路封止部材が圧縮されて、トレイの上下両面に該トレイ通路封止部材が密着するようになされている、配膳車におけるトレイ通路封止構造である。
【発明の効果】
【００１４】
本発明によれば、配膳車本体内が高温となる過熱蒸気仕様の配膳車においても、その仕切壁部材間のトレイ通路が確実に封止され、従来の高温による封止部分の熱変形、熱変性のおそれが全くない。
【００１５】
またトレイ通路を封止するトレイ通路封止部材にはすべり加工が施されているため、トレイの差し込み並びに抜脱がスムースに行え、この種配膳車の利便性を向上させることができる。
【図面の簡単な説明】
【００１６】
【図１】本発明の実施形態に係る配膳車本体内の斜視図である。
【図２】同実施形態において、上下に隣り合う仕切壁部材間のトレイ通路にトレイが差し込まれた状態を示す斜視図である。
【図３】図２の状態におけるトレイ通路部分の拡大正面図である。
【図４】本発明に係るトレイ通路封止部材が装着された仕切壁部材の側面図である。
【図５】同仕切壁部材の正面図である。
【図６】同仕切壁部材の平面図である。
【図７】同仕切壁部材の上縁部分の一部切欠正面図である。
【図８】同仕切壁部材の底面図である。
【図９】同仕切壁部材の下縁部分の一部切欠正面図である。
【図１０】同仕切壁部材の上縁に取り付けられるトレイ通路封止部材の斜視図である。
【図１１】同トレイ通路封止部材の正面図である。
【図１２】同仕切壁部材の下縁に取り付けられるトレイ通路封止部材の斜視図である。
【図１３】同トレイ通路封止部材の正面図である。
【図１４】仕切壁部材の下縁に取り付けられるトレイ通路封止部材の他の実施形態を示す横断面図である。
【発明を実施するための形態】
【００１７】
次に、本発明の実施形態を図面にしたがって説明するが、本発明は係る実施形態に限定されるものではなく、その要旨の範囲内で種々の変形実施が可能である。
【００１８】
図１〜図３に示すように、配膳車本体において、前後方向に伸びる複数の仕切壁部材１が上下方向に一列に配設され、その一側が冷蔵室２、他側が温蔵室３とされ、上下に隣り合う仕切壁部材１間にはトレイＴの仕切部Ｐが差し込まれるトレイ通路５が形成されており、仕切壁部材１の上縁１ａおよび下縁１ｂには、トレイ通路５を塞ぐシリコンゴム製の後述するトレイ通路封止部材６・７が取り付けられている。
【００１９】
図２および図４に示すように、仕切壁部材１は、全体が合成樹脂製であって、一端に配膳車本体内にビス止めされるブラケット１ｃが一体に形成され、図４〜図７に示すように、当該仕切壁部材１の上縁１ａには前述したトレイ通路封止部材６の主体部６ａが突出した状態で取り付けられている。また、図４、図５、図８および図９に示すように、当該仕切壁部材１の下縁１ｂには前述したトレイ通路封止部材７の主体部７ａが突出した状態となっている。
【００２０】
図７、図１０〜図１１に示すように、仕切壁部材１の上縁１ａに取り付けられたトレイ通路封止部材６は、前述の通り、伸縮自在なシリコンゴム製であって、仕切壁部材１の全長に対応する長さを有し、横断面略凹形であって、その主体部６ａの両側縁部には嵌合鍔部６ｂが形成されており、また本実施形態では主体部６ａの表面に滑り加工２０が施されている。滑り加工としては、具体的には、主体部６ａの表面に例えば、フッ素樹脂コーティングが施されている。
【００２１】
そして、図７に示すように、仕切壁部材１の上縁１ａには、トレイ通路封止部材６の嵌合鍔部６ｂが嵌め入れられる嵌合凹部１１が形成されている。
【００２２】
図１２および図１３に示すように、仕切壁部材１の下縁１ｂに取り付けられたトレイ通路封止部材７は、前述の通り、シリコンゴム製であって、仕切壁部材１の全長に対応する長さを有し、横断面略凹形であって、その主体部７ａの両側縁部には嵌合鍔部７ｂが形成され、更に主体部７ａの表面長さ中央部分には突条７ｃが形成されており、また本実施形態では前記突条７ｃを含む主体部７ａの表面に滑り加工１０が施されている。滑り加工として前記と同様、フッ素樹脂コーティングが行われている。
【００２３】
そして、図９に示すように、仕切壁部材１の下縁１ｂにも、トレイ通路封止部材７の嵌合鍔部７ｂが嵌め入れられる嵌合凹部１２が形成されている。
【００２４】
本実施形態に係る配膳車においては、トレイＴをトレイ通路５に差し込む際に、その上下のトレイ通路封止部材６・７表面のフッ素樹脂コーティングからなる滑り加工１０・２０によって、トレイＴはトレイ通路封止部材６・７間を滑ってスムースに配膳車本体内に収容される。またこのことはトレイＴをトレイ通路５から抜き外す場合でも同様である。更に、トレイ通路封止部材６・７が当接することにより、該トレイ通路封止部材６が圧縮されて、トレイの上下両面に該トレイ通路封止部材が密着するようになされている。
【００２５】
仕切壁部材１の下縁１ｂに取り付けられるトレイ通路封止部材７については、前述したように、仕切壁部材１の下縁に嵌め入れる構造であったが、図１４に示すように、下縁側部分に凹所２２を設けた仕切壁部材２１を製作し、該凹所２２内に上下移動可能に組み込まれたトレイ通路封止部材２７を設け、トレイ通路内に進入したトレイＴにおける仕切り対して上方からすべり加工１０が施された部分が当接するような構造としても良い。
【００２６】
なお、以上述べた実施形態は、仕切部Ｐを有するトレイＴに対するものであったが、仕切部Ｐを有しない平板状トレイについても同様に本発明を適用することができる。
【産業上の利用可能性】
【００２７】
本発明によれば、前述した通り、トレイのスムースな差し込みと抜き外しが行えるため、この種配膳車の分野において幅広い利用が期待できる。
【符号の説明】
【００２８】
１  仕切壁部材
１ａ  仕切壁部材の上縁
１ｂ  仕切壁部材の下縁
２  冷蔵室
３  温蔵室
５  トレイ通路
６・７  トレイ通路封止部材
１０・２０  滑り加工
Ｔ  トレイ
Ｐ  仕切部
【要約】      （修正有）【課題】温蔵室が高温になっても十分な封止機能が確保され、しかもトレイの差し込みがスムースに行えるトレイ通路封止部材を提供する。【解決手段】前後方向に伸びる複数の仕切壁部材１が上下方向に一列に配設され、その一側が冷蔵室、他側が温蔵室とされ、上下に隣り合う仕切壁部材１間にはトレイＴが差し込まれるトレイ通路が形成されており、仕切壁部材１の上縁１ａおよび下縁１ｂには、トレイ通路を塞ぐシリコンゴム製のトレイ通路封止部材６・７が取り付けられ、その表面に滑り加工が施されている。【選択図】図２【図１】
0005392935.tif 000002
【図２】
0005392935.tif 000003
【図３】
0005392935.tif 000004
【図４】
0005392935.tif 000005
【図５】
0005392935.tif 000006
【図６】
0005392935.tif 000007
【図７】
0005392935.tif 000008
【図８】
0005392935.tif 000009
【図９】
0005392935.tif 000010
【図１０】
0005392935.tif 000011
【図１１】
0005392935.tif 000012
【図１２】
0005392935.tif 000013
【図１３】
0005392935.tif 000014
【図１４】
0005392935.tif 000015